(57)【要約】【課題】裏側に外枠を備えた遊技機を安全且つ確実に運搬することができる運搬具を簡便な構成にて安価に提供する。【解決手段】遊技機用運搬具１０は、前方開口の外枠嵌合溝１２が一対の略平行な上板１３と下板１４との間に形成されてなる本体１１と、該本体の上板に回動自在に軸支された一対の回動アーム１９と、該回動アームの基端部に連結されるハンドル１２とを備える。本体の外枠嵌合溝に遊技機の外枠を挿入した状態で持ち上げると、回動アームの先端カム歯２０が外枠嵌合溝内に入り込み、遊技機の外枠をカム歯と下板との間でクランプして、安全且つ確実な持ち運びを可能にする。【選択図】図２
2007195833.tif 000002
【特許請求の範囲】
【請求項１】
裏側に外枠を備えた遊技機を持ち運ぶための運搬具であって、遊技機の外枠を受け入れるべく該外枠の厚さより大きい幅寸法を有する前方開口の外枠嵌合溝が一対の略平行な板状部の間に形成されてなる本体と、この本体の一対の板状部のうちの一方の板状部に回動自在に軸支されて該一方の板状部から外枠嵌合溝に対して埋没可能であり且つ外枠嵌合溝内に入り込む先端部にカム歯が形成されている少なくとも一対の回動アームと、この一対の回動アームの基端部に連結される持ち運び手段とを有し、本体の外枠嵌合溝に遊技機の外枠を挿入した状態で持ち運び手段を介して持ち上げることにより一対の回動アームの先端部が外枠嵌合溝内に入り込んで遊技機の外枠を回動アーム先端部のカム歯と本体の他方の板状部の内側面との間にクランプするように働くことを特徴とする遊技機用運搬具。
【請求項２】
本体の一方の板状部には一対の回動アームを挿通させるための前方開口の切欠溝が幅方向に所定間隔をおいて形成されており、一対の回動アームはその長さ方向の略中間で該切欠溝の前方開口端近くのピボットを中心として回動自在であることを特徴とする、請求項１記載の遊技機用運搬具。
【請求項３】
本体の一対の板状部が第一および第二の一対の板状部として構成され、これら第一および第二の一対の板状部が連結部を介して幅方向に所定間隔をおいた状態に保持されており、一対の回動アームの一方が第一の一対の板状部に設けられると共に他方の回動アームが第二の一対の板状部に設けられることを特徴とする、請求項１または２記載の遊技機用運搬具。
【請求項４】
本体の前記他方の板状部の内側面が、本体の外枠嵌合溝に挿入された遊技機の外枠に対する摩擦抵抗を大きくするために凹凸状とされていることを特徴とする、請求項１ないし３のいずれか記載の遊技機用運搬具。
【請求項５】
持ち運び手段として、片手で掴むことができるハンドルが用いられることを特徴とする、請求項１ないし４のいずれか記載の遊技機用運搬具。
【請求項６】
持ち運び手段として、肩に掛けるように設計されたショルダーベルトが用いられることを特徴とする、請求項１ないし４のいずれか記載の遊技機用運搬具。
【請求項７】
持ち運び手段として、片手で掴むことができるハンドルと、肩に掛けるように設計されたショルダーベルトの両方が用いられることを特徴とする、請求項１ないし４のいずれか記載の遊技機用運搬具。
【発明の詳細な説明】
【技術分野】
【０００１】
本発明はパチンコ機に代表される遊技機を安全・確実に持ち運ぶための運搬具に関する。
【背景技術】
【０００２】
パチンコ機は一台当たりで数十ｋｇの重量があり、その機能の高度化・複雑化に伴ってますます重量化していく傾向にある。このような重量の嵩む遊技機を入れ替えやメンテナンスのために運搬する作業はきわめて重労働であることから、遊技機の下部に転動自在の車輪を設けて運搬を容易にすることが下記特許文献１などに記載されている。
【特許文献１】特開２００５−２４５８５０号公報
【０００３】
また、下記特許文献２には、遊技機の側枠に運搬用のハンドルケースを装着可能とした構成が記載されている。
【特許文献２】特開２００５−２１１４１７号公報
【０００４】
さらに、下記特許文献３には、多数の遊技機を一挙に運搬することができる台車が提案されている。
【特許文献３】特開２００４−０５７２８０号公報
【発明の開示】
【発明が解決しようとする課題】
【０００５】
しかしながら、特許文献１に記載されるような運搬機構は遊技機に常設されるものであり、一台一台の遊技機にこのような運搬機構を採用しなければならず、多数の遊技機を必要とする遊戯施設などでは多大なコストアップとなり、実際的な解決手段としては無理がある。また、仮にこのような運搬機構を常設したとしても、平坦な通路を移動させる場合には有効であるが、階段の上り下りなどでは機能することができないという問題を抱えている。
【０００６】
特許文献２に記載される従来技術においても各遊技機にハンドルケース取付用の構造を形成させておかなければならず、汎用的な運搬機構とはなり得ない。
【０００７】
特許文献３に記載される従来技術によれば、多数の遊技機を一挙に運搬できる点で有利性が認められるものの、狭い通路を移動させる場合や階段の上り下りを必要とする場合には使用することができない。結局のところ、この台車から個々の遊技機を設置する場所への移動やその逆の移動に際しては、遊技機の上枠の裏側に手指を入れて遊技機を持ち上げて運搬するしかなく、男性でも一人では困難な作業となり、落下事故が絶えなかった。
【０００８】
したがって、本発明が解決しようとする課題は、裏側に外枠を備えた遊技機を安全且つ確実に運搬することができる運搬具を簡便な構成にて安価に提供することである。
【課題を解決するための手段】
【０００９】
この課題を解決するため、請求項１に係る本発明は、裏側に外枠を備えた遊技機を持ち運ぶための運搬具であって、遊技機の外枠を受け入れるべく該外枠の厚さより大きい幅寸法を有する前方開口の外枠嵌合溝が一対の略平行な板状部の間に形成されてなる本体と、この本体の一対の板状部のうちの一方の板状部に回動自在に軸支されて該一方の板状部から外枠嵌合溝に対して埋没可能であり且つ外枠嵌合溝内に入り込む先端部にカム歯が形成されている少なくとも一対の回動アームと、この一対の回動アームの基端部に連結される持ち運び手段とを有し、本体の外枠嵌合溝に遊技機の外枠を挿入した状態で持ち運び手段を介して持ち上げることにより一対の回動アームの先端部が外枠嵌合溝内に入り込んで遊技機の外枠を回動アーム先端部のカム歯と本体の他方の板状部の内側面との間にクランプするように働くことを特徴とする遊技機用運搬具である。
【００１０】
請求項２に係る本発明は、請求項１記載の遊技機用運搬具において、本体の一方の板状部には一対の回動アームを挿通させるための前方開口の切欠溝が幅方向に所定間隔をおいて形成されており、一対の回動アームはその長さ方向の略中間で該切欠溝の前方開口端近くのピボットを中心として回動自在であることを特徴とする。
【００１１】
請求項３に係る本発明は、請求項１または２記載の遊技機用運搬具において、本体の一対の板状部が第一および第二の一対の板状部として構成され、これら第一および第二の一対の板状部が連結部を介して幅方向に所定間隔をおいた状態に保持されており、一対の回動アームの一方が第一の一対の板状部に設けられると共に他方の回動アームが第二の一対の板状部に設けられることを特徴とする。
【００１２】
請求項４に係る本発明は、請求項１ないし３のいずれか記載の遊技機用運搬具において、本体の前記他方の板状部の内側面が、本体の外枠嵌合溝に挿入された遊技機の外枠に対する摩擦抵抗を大きくするために凹凸状とされていることを特徴とする。
【００１３】
請求項５に係る本発明は、請求項１ないし４のいずれか記載の遊技機用運搬具において、持ち運び手段として、片手で掴むことができるハンドルが用いられることを特徴とする。
【００１４】
請求項６に係る本発明は、請求項１ないし４のいずれか記載の遊技機用運搬具において、持ち運び手段として、肩に掛けるように設計されたショルダーベルトが用いられることを特徴とする。
【００１５】
請求項７に係る本発明は、請求項１ないし４のいずれか記載の遊技機用運搬具において、持ち運び手段として、片手で掴むことができるハンドルと、肩に掛けるように設計されたショルダーベルトの両方が用いられることを特徴とする。
【発明の効果】
【００１６】
本発明によれば、裏側に外枠を備えた遊技機を安全且つ確実に運搬することができる。したがって、狭い通路を移動させる場合や階段の上り下りを必要とする場合に特に有効に使用することができる。また、非力な女性などであっても容易に運搬作業を行うことができ、落下事故を有効に防止することができる。
【発明を実施するための最良の形態】
【００１７】
以下、添付図面を参照して本発明の好適な実施形態について説明する。
【実施例１】
【００１８】
図１に示す実施形態の遊技機用運搬具１０は、本体１１と、回動アーム１９と、ハンドル２２を主要部材として構成されている。
【００１９】
本体１１は、前方（図１において左上方）に開口する外枠挿入溝１２を有して略コ字形に形成されている。外枠挿入溝１２の溝幅は、この遊技機用運搬具１０を用いて運搬しようとする遊技機の外枠の厚さに応じて決定されるが、多くの遊技機の外枠は１５〜２０ｍｍ程度であるので、この実施例では外枠挿入溝１２の溝幅を約２５ｍｍとして汎用性を持たせている。
【００２０】
本体１１は、上板１３と下板１４とがそれらの後端において連結板１５で連結された形状を有しており、たとえばアルミニウムなどの金属から溶接または鋳造などにより一体的に形成される。上板１３には前方に開口する一対の切欠溝１６，１６が形成されている。また、下板１４の内側面（上面）は凹凸面１７とされている。凹凸面１７の凹凸形状は任意であるが、この実施例では幅方向に延長する凹凸条として示されている。
【００２１】
上板１３に形成される切欠溝１６，１６の前方開口端近くにピボット１８，１８が架け渡され、回動アーム１９，１９は、切欠溝１６，１６に嵌合された状態で、その長さ方向の略中間地点でピボット１８，１８に回転自在に軸支されている。すなわち、切欠溝１６，１６の溝幅は回動アーム１９，１９の板厚に略等しく設定されている。回動アーム１９，１９の先端にはカム歯２０，２０が形成されている。
【００２２】
図１では回動アーム１９，１９が最も（図１および図２において、以下同じ）時計方向に回転した位置が示されており、この状態においてカム歯２０，２０は本体１１の外枠挿入溝１２内に深く入り込んで、その先端が下板１４の凹凸面１７に接しており、これ以上回動アーム１９，１９が時計方向に回転することを阻止している。この状態から回動アーム１９，１９をピボット１８，１８を中心として反時計方向に回転させていくと、回動アーム１９，１９が略水平（上板１３と略平行）になったときに、外枠挿入溝１２内へのカム歯２０，２０の突出がなくなり、さらに同方向に回転させると回動アーム１９，１９は先端カム歯２０，２０を上方にして略直立状態となる。
【００２３】
回動アーム１９，１９の基端部には連結アーム２１を介してハンドル２２が回動自在に連結されている。この実施例では、連結アーム２１は略コ字形を有しており、その中央部が円筒状のハンドル２２の中空筒部を挿通し、該中央部の両端から略直角に折り曲げられた一対のアーム部２１，２１の先端に形成された長孔スロット２３，２３と、回動アーム１９，１９の基端部に形成された円孔（符号なし）とにピボット２４，２４が挿通されることにより、ハンドル２２が回動自在に連結されると共に、長孔スロット２３，２３の範囲内において回動アーム１９，１９に対して若干の伸縮が可能とされている。連結アーム２１の中央部の長さおよびハンドル２２の長さは掌の幅よりも若干大きい寸法に設定され、たとえば約１２ｃｍ程度である。また、ハンドル２２にはフェルト材２５が巻回されていて、手で持ったときの感触をソフトにすると同時に摩擦を高めることにより落下防止の一助としている。
【００２４】
以上のように構成された遊技機用運搬具１０の作用について図２を参照して説明すると、図１の状態からハンドル２２を押し下げることにより回動アーム１９，１９を反時計方向に回動させて、回動アーム１９，１９を少なくとも略水平（上板１３と略平行）に近い状態として、外枠挿入溝１２内へのカム歯２０，２０の突出をなくし、外枠挿入溝１２が大きく開口した状態とする。
【００２５】
この状態で、持ち上げようとする遊技機Ｐの外枠Ｆ（略水平状態となっている外枠部分、すなわち遊技機が縦置き状態であれば上枠または下枠、遊技機が横置き状態であれば左右いずれかの枠）を外枠挿入溝１２に挿入する。
【００２６】
遊技機Ｐの外枠Ｆが外枠挿入溝１２の奥底まで深く挿入されていることを確認した後、ハンドル２２を手で持って上方に引き上げると、回動アーム１９，１９がピボット１８，１８を中心として時計方向に回転し始め、先端のカム歯２０，２０が外枠挿入溝１２内に徐々に突入していく。そして、カム歯２０，２０が外枠Ｆの上面側に当接した後もなおハンドル２２を持ち上げると、外枠挿入溝１２内に挿入された外枠Ｆがカム歯２０，２０と本体下板１４の内側凹凸面１７との間に圧接挟持され、このクランプ状態で遊技機Ｐを持ち運ぶことができる。一旦遊技機Ｐが持ち上げられると、遊技機Ｐの自重が作用して、回動アーム１９，１９はさらに時計方向に回転しようとするので、遊技機Ｐを安定した状態で確実に持ち運ぶことができ、落下の危険性がない。
【００２７】
このようにして所定場所まで持ち運んだ後に遊技機Ｐを床面などに降ろすと、遊技機Ｐの自重が解放されるので、ハンドル２２を押し下げることにより回動アーム１９，１９を反時計方向に回転させてクランプ状態を解除した後、外枠Ｆから引き離す方向に移動させることにより、この遊技機用運搬具１０を遊技機Ｐの外枠Ｆから離脱させることができる。
【実施例２】
【００２８】
図３に示す実施形態の遊技機用運搬具３０は、本体３１と、回動アーム３７，３７と、ハンドル４２と、ショルダーベルト４３とを主要部材として構成されている。
【００２９】
本体３１は、左右一対の作用部３２，３２が所定長さの連結板３３で連結された構成を有しており、実施例１と同様に、アルミニウムなどの金属から溶接または鋳造などにより一体的に形成される。連結板３３には任意数および任意形状の刳り抜き穴４５を形成して軽量化を図っているが、このような刳り抜き穴４５を有することは必須要件ではない。
【００３０】
本体３１の各作用部３２は、互いに略平行である上板３４と下板３５がそれらの基端側において連結板３３で連結された構成を有しており、これら上板３４と下板３５との間に前方に開口する外枠挿入溝３６が形成されている。外枠挿入溝３６は、この遊技機用運搬具３０を用いて運搬しようとする遊技機の外枠の厚さに応じて決定されるが、多くの遊技機の外枠は１５〜２０ｍｍ程度であるので、この実施例では外枠挿入溝３６の溝幅を約２５ｍｍとして汎用性を持たせている。各作用部３２の幅寸法は任意である。本体３１の全幅も任意寸法であって良く、こ遊技機用運搬具３０を用いて運搬しようとする遊技機の寸法に応じて、たとえば５０〜１００ｃｍ程度の範囲内において選択することができる。
【００３１】
各作用部３２における上板３４には前方に開口する切欠溝４０が形成されている。また、３５の内側面（上面）には幅方向に延長する水平縞状の凹凸条などの凹凸面３８とされている。
【００３２】
各上板３４に形成される切欠溝４０の前方開口端近くにピボット３９が架け渡され、回動アーム３７は、切欠溝４８に嵌合された状態で、その長さ方向の略中間地点でピボット３９に回転自在に軸支されている。すなわち、切欠溝４０の溝幅は回動アーム３７の板厚に略等しく設定されている。各回動アーム３７の形状は実施例１の回動アーム１９と略同様であり、その先端にはカム歯（２０）が形成されている。
【００３３】
ハンドル４２およびショルダーベルト４３は、いずれも、その両端を回動アーム３７，３７の基端部に係止することにより取り付けられている。図示しないが、これらの一方または両方を着脱可能に取り付けるようにしても良い。ハンドル４２は実施例１のハンドル２２と略同一の形状および構成を有しており、その中空筒部を挿通する帯状、紐状、ワイヤ状などのハンドル取付具４４により回動アーム３７，３７の基端部に取り付けられる。ショルダーベルト４３はフック４６およびリング４７を介して回動アーム３７，３７の基端部に取り付けられており、中央にパッド４１を備えている。
【００３４】
以上のように構成された遊技機用運搬具３０の作用について説明すると、回動アーム３７，３７を少なくとも略水平（上板３４，３４と略平行）に近い状態として、外枠挿入溝３６，３６内へのカム歯（２０，２０）の突出をなくし、外枠挿入溝３６，３６が大きく開口した状態とする。
【００３５】
この状態で、持ち上げようとする遊技機の外枠（略水平状態となっている外枠部分、すなわち遊技機が縦置き状態であれば上枠または下枠、遊技機が横置き状態であれば左右いずれかの枠）を外枠挿入溝３６，３６に挿入する。
【００３６】
遊技機の外枠が外枠挿入溝３６，３６の奥底まで深く挿入されていることを確認した後、ハンドル４２を手で持って上方に引き上げるか、あるいはショルダーベルト４３のパッド４１を肩に掛けて立ち上がると、回動アーム３７，３７がピボット３９，３９を中心として時計方向に回転し始め、先端のカム歯が外枠挿入溝３６，３６内に徐々に突入していく。そして、カム歯が外枠の上面側に当接した後もなおハンドル４２またはショルダーベルト４３を介して回動アーム３７，３７を同方向に回転させると、外枠挿入溝３６，３６内に挿入された外枠がカム歯と本体作用部３２，３２の下板凹凸面３８，３８との間に圧接挟持され、このクランプ状態で遊技機を持ち運ぶことができる。一旦遊技機が持ち上げられると、遊技機の自重が作用して、回動アーム３７，３７はさらに時計方向に回転しようとするので、遊技機を安定した状態で確実に持ち運ぶことができ、落下の危険性がない。
【００３７】
この実施例による遊技機用運搬具３０は、持ち運び手段としてハンドル４２とショルダーベルト４３を備えているので、持ち運ぶ人の体力などに応じていずれかを選択して用いることができる。たとえば、比較的非力な遊技場のホールマンや女性スタッフが使用する場合は、ショルダーベルト４３のパッド４１を肩に掛けることで遊技機を比較的簡単且つ安全に持ち運ぶことができる。運送業者など日常的に遊技機を持ち運びしている者にとっては、この遊技機用運搬具３０を２つ用いてハンドル４２を使用することにより、両手で一度に２つの遊技機を持ち運ぶことができる。
【図面の簡単な説明】
【００３８】
【図１】本発明の実施例１による遊技機用運搬具の斜視図である。
【図２】この遊技機用運搬具を用いて遊技機を持ち上げている状態の側面図である。
【図３】本発明の実施例２による遊技機用運搬具の斜視図である。
【符号の説明】
【００３９】
１０  実施例１の遊技機用運搬具
１１  本体
１２  外枠挿入溝
１３  上板（一方の板状部）
１４  下板（他方の板状部）
１５  連結板
１６  切欠溝
１７  凹凸面
１８  ピボット
１９  回動アーム
２０  カム歯
２１  連結アーム
２２  ハンドル（持ち運び手段）
２３  長孔スロット
２４  円孔
２５  フェルト材
３０  実施例２の遊技機用運搬具
３１  本体
３２  作用部
３３  連結部
３４  上板（一方の板状部）
３５  下板（他方の板状部）
３６  外枠挿入溝
３７  回動アーム
３８  凹凸面
３９  ピボット
４０  切欠溝
４１  パッド
４２  ハンドル（持ち運び手段）
４３  ショルダーベルト（持ち運び手段）
４４  ハンドル取付具
４５  刳り抜き穴
４６  フック
４７  リング
【図１】
2007195833.tif 000003
【図２】
2007195833.tif 000004
【図３】
2007195833.tif 000005